(57)【要約】【課題】  携帯端末向けコンテンツを携帯端末の画面に模して表示可能とし、ＰＣ端末で正確に表示可能な携帯端末向けコンテンツの表示システムおよび方法、プログラムおよびプログラム記録媒体を提供する。【解決手段】  コンテンツを提供しているＷｅｂサーバ５へ送信し携帯端末からのアクセスであることを示すためのユーザエージェント情報を記憶している携帯端末エージェントＤＢ４２と、Ｗｅｂサーバ５へ送信しコンテンツを取得するためのＨＴＭＬタグ情報を記憶している携帯端末ＨＴＭＬタグＤＢ４３と、取得したコンテンツに含まれるコード情報に対応した絵文字情報を記憶している携帯端末絵文字情報ＤＢ４４と、ＰＣ端末１１に表示するためにコンテンツを描画するための描画情報を記憶している携帯端末描画情報ＤＢ４５と、を備える。【選択図】      図１
2005165872.tif 000002
【特許請求の範囲】
【請求項１】
携帯端末において表示可能に作成されてインターネットを介し提供されるコンテンツをＰＣ端末にて表示するための携帯向けコンテンツの表示システムであって、
前記コンテンツを提供しているＷｅｂサーバへ送信し携帯端末からのアクセスであることを示すためのユーザエージェント情報を記憶している携帯端末エージェントＤＢと、
前記Ｗｅｂサーバへ送信し前記コンテンツを取得するためのＨＴＭＬタグ情報を記憶している携帯端末ＨＴＭＬタグＤＢと、
取得した前記コンテンツに含まれるコード情報に対応した絵文字情報を記憶している携帯端末絵文字情報ＤＢと、
前記ＰＣ端末に表示するために前記コンテンツを描画するための描画情報を記憶している携帯端末描画情報ＤＢと、
を備えることを特徴とする携帯端末向けコンテンツの表示システム。
【請求項２】
前記コンテンツは、
前記ＰＣ端末のモニタ上に前記携帯端末を模した表示形態を有するＷｅｂブラウザである模擬携帯画面表示において表示されることを特徴とする請求項１に記載の携帯端末向けコンテンツの表示システム。
【請求項３】
前記コンテンツは、
前記模擬携帯画面表示において表示されるブラウザ機能を指示するための操作ボタンにより操作可能なことを特徴とする請求項２に記載の携帯端末向けコンテンツの表示システム。
【請求項４】
前記模擬携帯画面表示は、
前記ユーザエージェント情報の種類に応じて特定される携帯端末を模した表示でもって実行されることを特徴とする請求項２または３のいずれかに記載の携帯端末向けコンテンツの表示システム。
【請求項５】
携帯端末において表示可能に作成されてインターネットを介し提供されるコンテンツをＰＣ端末にて表示するための携帯向けコンテンツの表示方法であって、
前記コンテンツを提供しているＷｅｂサーバへ携帯端末からのアクセスであることを示すためのユーザエージェント情報を記憶している携帯端末エージェントＤＢから前記ユーザエージェント情報を送信し、
前記Ｗｅｂサーバへ前記コンテンツを取得するためのＨＴＭＬタグ情報を記憶している携帯端末ＨＴＭＬタグＤＢから前記ＨＴＭＬタグ情報を送信し、
取得した前記コンテンツに含まれるコード情報を携帯端末絵文字情報ＤＢに記憶された該コード情報に対応した絵文字情報に変換し、
携帯端末描画情報ＤＢに記憶された前記コンテンツを描画するための描画情報をもって前記ＰＣ端末に前記コンテンツを表示することを特徴とする携帯端末向けコンテンツの表示方法。
【請求項６】
前記コンテンツは、
前記ＰＣ端末のモニタ上に前記携帯端末を模した表示形態を有するＷｅｂブラウザである模擬携帯画面表示において表示されることを特徴とする請求項５に記載の携帯端末向けコンテンツの表示方法。
【請求項７】
前記コンテンツは、
前記模擬携帯画面表示において表示されるブラウザ機能を指示するための操作ボタンにより操作可能なことを特徴とする請求項６に記載の携帯端末向けコンテンツの表示方法。
【請求項８】
前記模擬携帯画面表示は、
前記ユーザエージェント情報の種類に応じて特定される携帯端末を模した表示でもって実行されることを特徴とする請求項６または７のいずれかに記載の携帯端末向けコンテンツの表示方法。
【請求項９】
携帯端末において表示可能に作成されてインターネットを介し提供されるコンテンツをＰＣ端末にて表示するための携帯向けコンテンツの表示プログラムであって、
前記コンテンツを提供しているＷｅｂサーバへ携帯端末からのアクセスであることを示すためのユーザエージェント情報を記憶している携帯端末エージェントＤＢから前記ユーザエージェント情報を送信し、
前記Ｗｅｂサーバへ前記コンテンツを取得するためのＨＴＭＬタグ情報を記憶している携帯端末ＨＴＭＬタグＤＢから前記ＨＴＭＬタグ情報を送信し、
取得した前記コンテンツに含まれるコード情報を携帯端末絵文字情報ＤＢに記憶された該コード情報に対応した絵文字情報に変換し、
携帯端末描画情報ＤＢに記憶された前記コンテンツを描画するための描画情報をもって前記ＰＣ端末に前記コンテンツを表示することを特徴とする携帯端末向けコンテンツの表示プログラム。
【請求項１０】
前記コンテンツは、
前記ＰＣ端末のモニタ上に前記携帯端末を模した表示形態を有するＷｅｂブラウザである模擬携帯画面表示において表示されることを特徴とする請求項９に記載の携帯端末向けコンテンツの表示プログラム。
【請求項１１】
前記コンテンツは、
前記模擬携帯画面表示において表示されるブラウザ機能を指示するための操作ボタンにより操作可能なことを特徴とする請求項１０に記載の携帯端末向けコンテンツの表示プログラム。
【請求項１２】
前記模擬携帯画面表示は、
前記ユーザエージェント情報の種類に応じて特定される携帯端末を模した表示でもって実行されることを特徴とする請求項１０または１１のいずれかに記載の携帯端末向けコンテンツの表示プログラム。
【請求項１３】
携帯端末において表示可能に作成されてインターネットを介し提供されるコンテンツをＰＣ端末にて表示するための携帯向けコンテンツの表示プログラムを記録した記録媒体であって、
前記コンテンツを提供しているＷｅｂサーバへ携帯端末からのアクセスであることを示すためのユーザエージェント情報を記憶している携帯端末エージェントＤＢから前記ユーザエージェント情報を送信し、
前記Ｗｅｂサーバへ前記コンテンツを取得するためのＨＴＭＬタグ情報を記憶している携帯端末ＨＴＭＬタグＤＢから前記ＨＴＭＬタグ情報を送信し、
取得した前記コンテンツに含まれるコード情報を携帯端末絵文字情報ＤＢに記憶された該コード情報に対応した絵文字情報に変換し、
携帯端末描画情報ＤＢに記憶された前記コンテンツを描画するための描画情報をもって前記ＰＣ端末に前記コンテンツを表示することを特徴とする携帯端末向けコンテンツの表示プログラムを記録した記録媒体。
【請求項１４】
前記コンテンツは、
前記ＰＣ端末のモニタ上に前記携帯端末を模した表示形態を有するＷｅｂブラウザである模擬携帯画面表示において表示されることを特徴とする請求項１３に記載の携帯端末向けコンテンツの表示プログラムを記録した記録媒体。
【請求項１５】
前記コンテンツは、
前記模擬携帯画面表示において表示されるブラウザ機能を指示するための操作ボタンにより操作可能なことを特徴とする請求項１４に記載の携帯端末向けコンテンツの表示プログラムを記録した記録媒体。
【請求項１６】
前記模擬携帯画面表示は、
前記ユーザエージェント情報の種類に応じて特定される携帯端末を模した表示でもって実行されることを特徴とする請求項１４または１５のいずれかに記載の携帯端末向けコンテンツの表示プログラムを記録した記録媒体。
【発明の詳細な説明】
【技術分野】
【０００１】
本発明は、ＰＣ端末で携帯端末向けコンテンツを携帯端末と同様に表示するための携帯端末向けコンテンツの表示システムおよび方法、プログラムおよびプログラム記録媒体に関する。
【背景技術】
【０００２】
インターネット（Ｗｅｂ）などのネットワーク上において、ＰＣ（パーソナルコンピュータ：ＰｅｒｓｏｎａｌＣｏｍｐｕｔｅｒ）端末を接続して、目的とするコンテンツ（情報）を得るために、このネットワーク上に配置されたＷｅｂサーバを利用して様々な検索が行われている。こうした検索のために、様々な情報検索サービスを提供する検索サービスＷｅｂサイトが存在する。こうしたＷｅｂサイトでは、ＰＣ端末から入力されたコンテンツに関するキーワードや、あるいはコンテンツそのものの名称などがキーボードからテキストデータとして入力され、この入力されたテキストデータに基づいてコンテンツの検索を実行する。こうしたコンテンツの検索手法としては、様々な検索アルゴリズムに基づいた方法が実用化されており、こうしたアルゴリズムに基づいた検索Ｗｅｂサイト（検索エンジン）は非常に適確かつ高速にコンテンツを見つけだすことが可能である。こうした検索Ｗｅｂサイトの出現により、ＰＣ端末を利用して目的とするコンテンツを探している利用者に対して、大変便利なコンテンツ検索サービスの提供が行われている。
【０００３】
さらに、近年においてはＰＣ端末のみならず、移動体通信端末である携帯電話の普及が著しく、単なる電話としての通話機能に加えて、前述のインターネットなどのネットワークに接続可能なブラウザ機能を備えている。こうしたブラウザ機能を備えた多機能な携帯電話あるいはＰＤＡ（Personal Digital Assistance）端末などを含む携帯端末を利用して、例えば外出時などのＰＣ端末を利用しにくい状況にあっても、手軽にインターネットに接続して必要なコンテンツを入手することが可能になっている。こうした、携帯端末にて入手可能なコンテンツは、基本的にＰＣ端末にて取得可能なコンテンツと同一のものであるが、最近の携帯端末の普及に伴って、特に携帯端末が備えるブラウザ機能の仕様にあわせて製作されたコンテンツも多数提供されている。
【０００４】
携帯端末のブラウザの仕様に合わせて製作された携帯端末向けコンテンツの表示は、携帯端末のブラウザ上で表示することについて何ら問題はなく、利用者が求める携帯端末向けコンテンツを表示することができる。こうした携帯端末向けのコンテンツは、携帯端末が一般に備える小型のモニタ画面に合わせて、判読しやすいテキスト情報や簡単な絵文字などが用いられている。
【０００５】
一方、携帯端末向けコンテンツをＰＣ端末の備えるモニタにて表示する場合もあり、この場合はＰＣ端末のモニタ画面が携帯端末のモニタ画面に比して大きいので、画面表示されたコンテンツが不自然な表示になることもあった。携帯端末の小型の画面に合わせて製作された携帯端末向けコンテンツをＰＣ端末の大きなモニタで表示すると、画面の余白が過大に表示され、例えばテキスト情報が画面中央付近に小さく表示されてしまう。こうした画面表示のバランスの悪さを避けるために、例えばＰＣ端末において携帯端末向けコンテンツを表示する際には、ＰＣ端末におけるブラウザの画面表示範囲を小さくして、携帯電話コンテンツの表示に適当な大きさのブラウザ画面を用いることも行われている。
【０００６】
インターネット上でのＷｅｂ検索サイトなどでは、携帯端末向けコンテンツに特化して情報検索するサービスも提供されている。こうしたサービス提供においては、携帯端末向けコンテンツを違和感なくＰＣ端末のモニタ上に表示するために、携帯端末向けコンテンツを表示するための別の小さなブラウザウィンドウを立ち上げて、このブラウザウィンドウを携帯端末の画面に模して携帯端末向けコンテンツを表示している。（例えば、非特許文献参照）。
【非特許文献１】「Ｙａｈｏｏ！モバイル」Ｗｅｂサイト＜ＵＲＬ：http://mobile.yahoo.co.jp/index.html＞［平成１５年１２月１日検索］
【発明の開示】
【発明が解決しようとする課題】
【０００７】
しかしながら、従来の技術においては、携帯端末向けコンテンツを別の小さなブラウザウィンドウで表示はするものの、トップページの簡単なメニューが表示されるのみであり、任意のメニューを画面上で選択しても、そのメニューのリンク先にあるコンテンツを得ることができなかった。
【０００８】
また、携帯端末向けコンテンツを提供しているＷｅｂサイトでは、ネットワーク上に提供するコンテンツについては携帯端末からのアクセスにのみ限定している場合も多い。こうした携帯端末でのアクセスにのみ提供を許可している携帯端末向けコンテンツをＰＣ端末のモニタに表示されるブラウザウィンドウで表示しようとしても、ＰＣ端末からのアクセスであるので、コンテンツ提供が拒否され、結果としてエラー表示がされてしまう。
【０００９】
また、携帯端末向けコンテンツを表示するための特別なソフトをＰＣ端末にダウンロードするか、あるいはインストールしなければ、Ｗｅｂブラウザのブラウザウィンドウ上で携帯端末向けコンテンツを得て表示することはできなかった。
【００１０】
また、携帯端末向けコンテンツをＰＣ端末のモニタに表示されるブラウザウィンドウで単に表示するのみでは、実際にその携帯端末向けコンテンツを携帯端末の画面に表示した場合のイメージがつかみにくく、表示されたコンテンツの見易さや利用のし易さといった情報を十分に得ることが難しかった。
【００１１】
また、携帯端末向けコンテンツに用いられている絵文字などの特殊表示をＰＣ端末では正確に表示することが難しく、意図しない文字化けなどが生じていた。
【００１２】
本発明は上記の点に鑑みてなされたものであり、携帯端末向けコンテンツの任意のメニューを画面上で選択することにより、そのメニューのリンク先にあるコンテンツを得ることができ、
また、携帯端末からのアクセスにのみ提供を許可している携帯端末向けコンテンツをＰＣ端末のモニタにおいて表示可能とし、
また、特別なソフトをダウンロードすることなくＷｅｂブラウザ上で携帯端末向けコンテンツを得ることができ、
また、携帯端末向けコンテンツを携帯端末の画面に模して表示可能とし、表示されたコンテンツの見易さや利用のし易さの情報を提供でき、
また、携帯端末向けコンテンツに用いられている絵文字などの特殊表示をＰＣ端末で正確に表示可能な携帯端末向けコンテンツの表示システムおよび方法、プログラムおよびプログラム記録媒体を提供することを目的とする。
【課題を解決するための手段】
【００１３】
請求項１に記載の本発明は、携帯端末において表示可能に作成されてインターネットを介し提供されるコンテンツをＰＣ端末にて表示するための携帯向けコンテンツの表示システムであって、前記コンテンツを提供しているＷｅｂサーバへ送信し携帯端末からのアクセスであることを示すためのユーザエージェント情報を記憶している携帯端末エージェントＤＢと、前記Ｗｅｂサーバへ送信し前記コンテンツを取得するためのＨＴＭＬタグ情報を記憶している携帯端末ＨＴＭＬタグＤＢと、取得した前記コンテンツに含まれるコード情報に対応した絵文字情報を記憶している携帯端末絵文字情報ＤＢと、前記ＰＣ端末に表示するために前記コンテンツを描画するための描画情報を記憶している携帯端末描画情報ＤＢと、を備える。
【００１４】
また、請求項２に記載の本発明は、請求項１において、前記コンテンツは、前記ＰＣ端末のモニタ上に前記携帯端末を模した表示形態を有するＷｅｂブラウザである模擬携帯画面表示において表示される。
【００１５】
また、請求項３に記載の本発明は、請求項２において、前記コンテンツは、前記模擬携帯画面表示において表示されるブラウザ機能を指示するための操作ボタンにより操作可能である。
【００１６】
また、請求項４に記載の本発明は、請求項２または３のいずれかにおいて、前記模擬携帯画面表示は、前記ユーザエージェント情報の種類に応じて特定される携帯端末を模した表示でもって実行される。
【００１７】
また、請求項５に記載の本発明は、携帯端末において表示可能に作成されてインターネットを介し提供されるコンテンツをＰＣ端末にて表示するための携帯向けコンテンツの表示方法であって、前記コンテンツを提供しているＷｅｂサーバへ携帯端末からのアクセスであることを示すためのユーザエージェント情報を記憶している携帯端末エージェントＤＢから前記ユーザエージェント情報を送信し、前記Ｗｅｂサーバへ前記コンテンツを取得するためのＨＴＭＬタグ情報を記憶している携帯端末ＨＴＭＬタグＤＢから前記ＨＴＭＬタグ情報を送信し、取得した前記コンテンツに含まれるコード情報を携帯端末絵文字情報ＤＢに記憶された該コード情報に対応した絵文字情報に変換し、携帯端末描画情報ＤＢに記憶された前記コンテンツを描画するための描画情報をもって前記ＰＣ端末に前記コンテンツを表示する。
【００１８】
また、請求項６に記載の本発明は、請求項５において、前記コンテンツは、前記ＰＣ端末のモニタ上に前記携帯端末を模した表示形態を有するＷｅｂブラウザである模擬携帯画面表示において表示される。
【００１９】
また、請求項７に記載の本発明は、請求項６において、前記コンテンツは、前記模擬携帯画面表示において表示されるブラウザ機能を指示するための操作ボタンにより操作可能である。
【００２０】
また、請求項８に記載の本発明は、請求項６または７のいずれかにおいて、前記模擬携帯画面表示は、前記ユーザエージェント情報の種類に応じて特定される携帯端末を模した表示でもって実行される。
【００２１】
また、請求項９に記載の本発明は、携帯端末において表示可能に作成されてインターネットを介し提供されるコンテンツをＰＣ端末にて表示するための携帯向けコンテンツの表示プログラムであって、前記コンテンツを提供しているＷｅｂサーバへ携帯端末からのアクセスであることを示すためのユーザエージェント情報を記憶している携帯端末エージェントＤＢから前記ユーザエージェント情報を送信し、前記Ｗｅｂサーバへ前記コンテンツを取得するためのＨＴＭＬタグ情報を記憶している携帯端末ＨＴＭＬタグＤＢから前記ＨＴＭＬタグ情報を送信し、取得した前記コンテンツに含まれるコード情報を携帯端末絵文字情報ＤＢに記憶された該コード情報に対応した絵文字情報に変換し、携帯端末描画情報ＤＢに記憶された前記コンテンツを描画するための描画情報をもって前記ＰＣ端末に前記コンテンツを表示する。
【００２２】
また、請求項１０に記載の本発明は、請求項９において、前記コンテンツは、前記ＰＣ端末のモニタ上に前記携帯端末を模した表示形態を有するＷｅｂブラウザである模擬携帯画面表示において表示される。
【００２３】
また、請求項１１に記載の本発明は、請求項１０において、前記コンテンツは、前記模擬携帯画面表示において表示されるブラウザ機能を指示するための操作ボタンにより操作可能である。
【００２４】
また、請求項１２に記載の本発明は、請求項１０または１１のいずれかにおいて、前記模擬携帯画面表示は、前記ユーザエージェント情報の種類に応じて特定される携帯端末を模した表示でもって実行される。
【００２５】
また、請求項１３に記載の本発明は、携帯端末において表示可能に作成されてインターネットを介し提供されるコンテンツをＰＣ端末にて表示するための携帯向けコンテンツの表示プログラムを記録した記録媒体であって、前記コンテンツを提供しているＷｅｂサーバへ携帯端末からのアクセスであることを示すためのユーザエージェント情報を記憶している携帯端末エージェントＤＢから前記ユーザエージェント情報を送信し、前記Ｗｅｂサーバへ前記コンテンツを取得するためのＨＴＭＬタグ情報を記憶している携帯端末ＨＴＭＬタグＤＢから前記ＨＴＭＬタグ情報を送信し、取得した前記コンテンツに含まれるコード情報を携帯端末絵文字情報ＤＢに記憶された該コード情報に対応した絵文字情報に変換し、携帯端末描画情報ＤＢに記憶された前記コンテンツを描画するための描画情報をもって前記ＰＣ端末に前記コンテンツを表示することを特徴とする携帯端末向けコンテンツの表示プログラムを記録する。
【００２６】
また、請求項１４に記載の本発明は、請求項１３において、前記コンテンツは、前記ＰＣ端末のモニタ上に前記携帯端末を模した表示形態を有するＷｅｂブラウザである模擬携帯画面表示において表示されることを特徴とする携帯端末向けコンテンツの表示プログラムを記録する。
【００２７】
また、請求項１５に記載の本発明は、請求項１４において、前記コンテンツは、前記模擬携帯画面表示において表示されるブラウザ機能を指示するための操作ボタンにより操作可能なことを特徴とする携帯端末向けコンテンツの表示プログラムを記録する。
【００２８】
また、請求項１６に記載の本発明は、請求項１４または１５のいずれかにおいて、前記模擬携帯画面表示は、前記ユーザエージェント情報の種類に応じて特定される携帯端末を模した表示でもって実行されることを特徴とする携帯端末向けコンテンツの表示プログラムを記録する。
【発明の効果】
【００２９】
本発明によれば、携帯端末向けコンテンツの任意のメニューを画面上で選択することにより、そのメニューのリンク先にあるコンテンツを得ることができ、
また、携帯端末からのアクセスにのみ提供を許可している携帯端末向けコンテンツをＰＣ端末のモニタにおいて表示可能とし、
また、特別なソフトをダウンロードすることなくＷｅｂブラウザ上で携帯端末向けコンテンツを得ることができ、
また、携帯端末向けコンテンツを携帯端末の画面に模して表示可能とし、表示されたコンテンツの見易さや利用のし易さの情報を提供でき、
また、携帯端末向けコンテンツに用いられている絵文字などの特殊表示をＰＣ端末で正確に表示可能な携帯端末向けコンテンツの表示システムおよび方法、プログラムおよびプログラム記録媒体を提供することができる。
【発明を実施するための最良の形態】
【００３０】
図１に示すのは、本発明の携帯端末向けコンテンツの表示システムおよび方法、プログラムおよびプログラム記録媒体に係る実施の形態の概要を説明するための構成図である。この構成図には、携帯端末向けコンテンツをインターネット４において検索するサービスを提供する検索サービスサーバ１と、インターネット４上にて携帯端末向けコンテンツを含む膨大な量のコンテンツを提供するコンテンツ提供者２と、インターネット４を介して提供されるコンテンツの提供を受けて利用する利用者３と、コンテンツを流通させる媒体となるインターネット４と、が示されており、コンテンツ提供者２には、インターネット４上に提供するコンテンツデータを記憶しているＷｅｂサーバ５と、ＰＣ端末１１のモニタ上に表示されるブラウザにて表示するのに好適なＰＣ端末向けコンテンツ６と、携帯端末１０が備える小型のモニタ上に表示するのに好適な携帯端末向けコンテンツ７とを含んでいる。また、利用者３では、インターネット４に接続して様々なコンテンツの提供を受けてモニタ上に表示可能なＰＣ端末１１と、このＰＣ端末１１のモニタに表示されてコンテンツを利用可能に表示するブラウザ８、および携帯端末向けコンテンツ７を表示する模擬携帯画面表示９と、携帯電話やＰＤＡなどの携帯端末１０とが示されている。
【００３１】
この図１において、利用者３のＰＣ端末１１にてインターネット４に接続し、ブラウザ８を起動してＰＣ端末１１のモニタ画面に表示する。ブラウザ８のＷｅｂコンテンツ検索機能を用いて目的とするコンテンツを検索すると、検索サービスサーバ１はインターネット４上で該当するコンテンツを検索する。この検索により、目的とするコンテンツを所有するコンテンツ提供者２のＷｅｂサーバ５へ接続する。コンテンツ提供者２のＷｅｂサーバ５では、検索サービスサーバ１からの要求に応じたコンテンツをインターネット４を介して提供する。この提供において、検索サービスサーバ１は、提供されたコンテンツの種類に応じてデータ変換を行い利用者３のＰＣ端末１１に提供する。検索サービスサーバ１にて実行されるデータ変換は、提供するコンテンツがＰＣ端末向けコンテンツ６である場合はデータ変換を行わず、携帯端末向けコンテンツ７である場合においてデータ変換を行う。このデータ変換の内容は、携帯端末向けコンテンツ７を模擬携帯画面表示９に表示するためのデータ変換であり、詳細は後述する。このデータ変換により、携帯端末向けコンテンツ７を字化けなどを起こさずにＰＣ端末１１に模擬携帯端末画面９として表示できる。なお、利用者３が最初から携帯端末１０にてコンテンツを検索する場合は、携帯端末向けコンテンツ７をデータ変換することなく、そのまま携帯端末１０の小型モニタに表示する。
【００３２】
図２に示すのは、図１にて示した本発明の実施の形態における、コンテンツ検索の概要を説明するための説明図である。ＰＣ端末１１から検索サービスサーバ１にアクセスすると、ブラウザ８には検索画面が表示される（ステップＳ１）。ここで、この検索画面に従って検索のためのキーワードを入力し、携帯端末向けのコンテンツを検索する。なお、ここでは本発明の特徴を説明するために携帯端末向けコンテンツを検索する場合を前提にしている。次に、検索結果の表示がブラウザ８にて表示され、この表示においてはフリーワードでの検索結果を一覧表示する（ステップＳ２）。このブラウザ８の表示について、画面上で模擬携帯画面表示９を選択すると、ＰＣ端末１１のモニタ上には模擬携帯画面表示９が表示される（ステップＳ４）。この表示の際に、いままで開いていたブラウザ８の表示はそのまま表示されつづけてもよく、あるいは一旦閉じても良い。この模擬携帯画面表示９は、たとえば携帯電話の外観形状を模して表示され、操作ボタンなども実際の携帯電話の機種や配置、種類に模して表示されている。この模擬携帯画面表示９は実際の携帯電話と同様の操作をすることにより、携帯端末向けコンテンツ７をあたかも実際の携帯電話の小型モニタに表示しているのと同様に表示可能（エミュレーション機能）である。こうしたエミュレーション機能を用いて模擬携帯画面表示９にて実際の携帯電話での携帯端末向けコンテンツ７の操作を模擬的に体験することができ、このコンテンツの操作性や有用性、見易さ、必要性などの評価をすることが可能になる。次に、模擬携帯画面表示９にて確認した携帯端末向けコンテンツ７のＵＲＬを、所望する携帯電話のメールアドレスに転送する（ステップＳ３）。このＵＲＬの転送は、ＰＣ端末１１からメールにＵＲＬがリンク可能に記載されて所望する携帯電話のメールアドレスへ送信される。このＵＲＬが記載されたメールが所望する携帯電話に届き、このメールに記載のＵＲＬをクリックして選択する（ステップＳ５）。これにより、携帯電話のブラウザが起動して、ＰＣ端末１１にて模擬携帯画面表示９にてすでに確認した携帯端末向けコンテンツ７にアクセスし、このコンテンツを閲覧することができる（ステップＳ６）。一方、携帯端末１０からのアクセスにおいては、検索サービスサーバ１にて携帯端末向けの検索サイトを携帯端末１０のブラウザに表示させる（ステップＳ１０）。この検索サイトにて、所望するコンテンツを検索するためのキーワードを入力し、検索結果を表示させる（ステップＳ１１）。表示された検索結果のうち、所望するコンテンツの見出しをクリックして選択する（ステップＳ１２）。この選択により、所望する携帯端末向けコンテンツ７に接続して閲覧が可能になる（ステップＳ６）。
【００３３】
図３に示すのは、本発明の実施の形態に係る模擬携帯画面表示９における操作を説明するための説明図である。既に説明したＰＣ端末１１のモニタに表示されたブラウザ８において、所望するコンテンツをキーワードを頼りに検索する。検索した結果は一覧となってブラウザ８に検索結果２０として表示される。検索結果２０において表示されているコンテンツの表題のうち、所望する携帯端末向けコンテンツ７の表題をＰＣ端末１１に備わるマウスなどを用いて画面上でクリックして選択する（図３、（１）検索結果をクリック）。これにより、模擬携帯画面表示９には、実際の携帯電話の外観を模した表示である携帯電話表示２１と、実際の携帯電話が備える表示窓を模した携帯電話画面表示２９と、表示されたコンテンツを上下にスクロール操作するための上下ボタン２８と、ブラウザの一つ前の画面表示を指示するための戻り指示ボタン２２と、現在表示しているブラウザ画面のコンテンツを次のコンテンツの表示に切り替えて進めるための進み指示ボタン２４と、現在ブラウザで表示している携帯端末向けコンテンツのＵＲＬを記載してメールにして送信するためのメール送信ボタン２５と、現在表示しているブラウザ上のコンテンツのＵＲＬを表示するためのＵＲＬ表示窓２６と、ＵＲＬ表示窓２６に表示されたＵＲＬを取得してメールに記載するためのＵＲＬ取得ボタン２７と、ＰＣ端末１１のキーボードやマウスなどにより選択された部分を反転表示などで示す被選択部３０とが示される。携帯電話画面表示２９に表示されるのは、検索結果２０のうちから選択された携帯端末向けコンテンツ７であり、実際の携帯電話の画面に表示されるのと同様な表示が行われる。上下ボタン２８をＰＣ端末１１のマウスやキーボードで操作すると、実際の携帯電話の操作と同様に画面をスクロールさせることができる。こうして携帯端末向けコンテンツ７について、その内容を実際の携帯電話に表示させたのと同じ条件下にて確認することができる。この携帯端末向けコンテンツ７は、携帯電話に特有の絵文字表示なども文字化けすることなく表示する。この絵文字などの表示のために、携帯電話用のコード変換データを記憶したデータ変換のためのサーバを用いており、これについては別途に後述する。この携帯端末向けコンテンツ７の表示のうち、所望するリンク表示をマウスやキーボードの操作で選択すると、選択されたリンク部分が反転表示され、被選択表示部３０として表示される（図３、（２）画面上選択〜（３）画面上からクリック）。被選択表示部３０にリンクされた新たなコンテンツが携帯電話画面表示２９に表示され、この新たなコンテンツに対しても実際の携帯電話における操作と同様の操作をすることが可能である。
【００３４】
図４および図５に示すのは、本発明の実施の形態に係るサーバおよびＤＢ（Data Base）の構成の概要を示す構成図である。図４には、既出のＰＣ端末１１と、同じく既出のＷｅｂサーバ５と、検索サービスサーバ１とが示されている。検索サービスサーバ１は、インターネット上の目的とするコンテンツを検索するための検索サーバ４０を備え、この検索サーバ４０は、携帯端末向けコンテンツ７を検索するための携帯コンテンツ検索サーバ４１と、携帯端末（携帯電話）のエージェント情報を記憶している携帯端末エージェントＤＢ４２と、携帯端末（携帯電話）のＨＴＭＬ（HyperText Markup Language）タグ情報を記憶している携帯端末ＨＴＭＬタグＤＢ４３と、携帯端末（携帯電話）に表示される特有の絵文字を表示するための変換コードデータが記憶された携帯端末絵文字情報ＤＢ４４と、模擬携帯画面表示９に表示する画像を描画するための画像データが記憶された携帯端末描画情報ＤＢ４５とから構成されている。また、図５に示すようにＰＣ端末１１と検索サーバ４０は、携帯コンテンツ検索サーバ４１を仲介してＷｅｂサーバ５にアクセスしており（図４（イ）参照）、ＰＣ端末１１から入力されたキーワードに基づいて検索サーバ４０は携帯コンテンツ検索サーバ４１を介して（図４（ロ）参照）Ｗｅｂサーバ５に対して検索を実行している（図４（ハ）参照）。この携帯コンテンツ検索サーバ４１において、携帯端末エージェントＤＢ４２はＵＲＬチェック機能（ｆ１）を備え、携帯端末ＨＴＭＬタグＤＢ４３はコンテンツ取得機能（ｆ２）を備え、携帯端末絵文字情報ＤＢ４４はコンテンツ修正機能（ｆ３）を備え、携帯端末描画情報ＤＢ４５はコンテンツ出力機能（ｆ４）を備えている。図４および図５に示した構成により図６に示すような携帯端末（携帯電話）のエミュレーション処理を実行可能としている。
【００３５】
図６に示す携帯端末のエミュレーション処理のフロー図を参照して、まず、ステップＳ２０においてエミュレーションの処理が開始される。この処理の開始は、ＰＣ端末１１のブラウザ８において、携帯端末向けコンテンツ７が選択され、模擬携帯画面表示９の表示が起動するのと同時に開始される。まず、ステップＳ２１において、選択された携帯端末向けコンテンツ７のＵＲＬをチェックする。このチェックは携帯端末向けコンテンツ７のＵＲＬが携帯端末向けコンテンツであることを示すＵＲＬであるか、あるいはＰＣ端末向けコンテンツ６を示すＵＲＬであるか否かを判断する。この判断の結果についてエラーの有無がステップＳ２２にて判断される。ここで、エラーが検出されるとステップＳ２９のエラー画面出力機能により模擬携帯画面表示９の画面にエラーである旨の表示がされる。一方、ステップＳ２２にてＵＲＬチェックが正常に行われたことが判断されると、ステップＳ２３に進みコンテンツ取得機能を実行する。このコンテンツ取得機能では、携帯端末向けコンテンツ７のＵＲＬにアクセスしてコンテンツ取得を可能にするために、携帯端末エージェントＤＢ４２からユーザエージェント（User-Agent）情報を取得し、このユーザエージェント情報をもって携帯端末向けコンテンツ７の取得を行う。なお、ユーザエージェント情報とは、携帯電話端末の識別に利用可能なHTTPヘッダ(HTTP_USER_AGENT)である。このユーザエージェント情報を用いて、携帯電話端末よりWebサーバへアクセスした際に、WebサーバCGI（Common Gateway Interface）にてHTTPヘッダを取得することにより、アクセスしてきた携帯電話端末を判別することが可能となる。ここで、取得した携帯端末向けコンテンツ７のヘッダ情報にロケーション（Location）情報が存在する場合は、そのロケーション情報によるＷｅｂコンテンツも取得する。次に、ステップＳ２４にてステップＳ２３の処理が正常に行われた否かがチェックされる。ここで、エラーが検出されると、ステップＳ２９に進み、エラーである旨が表示される。一方、正常に処理が実行されたことが確認されると、ステップＳ２５に進み、ここでコンテンツ修正機能が実行される。このコンテンツ修正機能は、取得した携帯端末向けコンテンツ７のアンカー情報を変更して、模擬携帯画面表示９に表示するのに適したアンカー情報へ書き換える。また、取得した携帯端末向けコンテンツ７に携帯電話に表示される絵文字（数字エンティティ、直接文字コードとして埋め込まれている場合も含む）を、携帯端末絵文字情報ＤＢ４４に予め記憶されたコードに対応する絵文字データに基づいて、表示可能な絵文字イメージファイルに変換する。また、携帯端末向けコンテンツ７のイメージファイルのリンクを本エミュレーションの処理を介したリンクに変更する。また、携帯端末向けコンテンツ７の中に存在するfromタグで指定されている呼び出しCGIのＵＲＬを、本エミュレーションの処理を介するＵＲＬに変更し、元のＵＲＬをHIDDENタグとして保存する。また、携帯端末向けコンテンツ７のタグを携帯端末ＨＴＭＬタグＤＢ４３でチェックして、未対応のタグおよび属性情報を変更する。次に、ステップＳ２６にてステップＳ２５の処理におけるエラーの有無がチェックされる。ここで、エラーが検出され���と、ステップＳ２９へ進む。一方、正常に処理が完了したことが確認されると、次に、ステップＳ２７へ進む。ステップＳ２７ではコンテンツ出力機能が実行される。このコンテンツ出力機能においては、携帯端末描画情報ＤＢ４５に記憶された描画情報に基づいて、模擬携帯画面表示９に表示する携帯端末向けコンテンツ７の表示の微調整をＣＳＳ（Cascading Style Sheet）にて実行する。また、描画を行うブラウザである模擬携帯画面表示９に対応した描画用Java（登録商標）Scriptの出力が行われ、さらに、各種操作を行うためのJava（登録商標）Scriptの出力が行われる。なお、各種操作としては、たとえば、スクロール処理、戻り処理、進み処理、メール送信処理、指定ＵＲＬコンテンツの収集処理などである。これらの各種操作は、模擬携帯画像表示９において、表示されたコンテンツを上下にスクロール操作するための上下ボタン２８と、ブラウザの一つ前の画面表示を指示するための戻り指示ボタン２２と、現在表示しているブラウザ画面のコンテンツを次のコンテンツの表示に切り替えて進めるための進み指示ボタン２４と、現在ブラウザで表示している携帯端末向けコンテンツのＵＲＬを記載してメールにして送信するためのメール送信ボタン２５と、現在表示しているブラウザ上のコンテンツのＵＲＬを表示するためのＵＲＬ表示窓２６と、ＵＲＬ表示窓２６に表示されたＵＲＬを取得してメールに記載するためのＵＲＬ取得ボタン２７と、ＰＣ端末１１のキーボードやマウスなどにより選択された部分を反転表示などで示す被選択部３０とに対応している。このコンテンツ出力機能が終了すると、全てのエミュレーションの処理が終了する（ステップＳ２８）。
【００３６】
図７は、図３を参照して既に説明した模擬携帯画像表示９において、メール送信ボタン２５、あるいは取得ボタン２７を操作した場合に実行されるメール送信機能の概要を説明するための構成図である。また、図８に参照されるのは、図７にて示したメール送信機能の構成によるメール送信処理を説明するためのフロー図である。図７に示すメール送信機能の構成は、既に説明したＰＣ端末１１と、検索サービスサーバ１と、検索Ｗｅｂサーバ４０と、Ｗｅｂサーバ５と、携帯コンテンツ検索サーバ４１と、メール配信のためのメールサーバ５０と、このメールサーバ５０に接続されている送信拒否ＤＢ５１と、広告管理ＤＢ５２とを備えている。こうした構成のメール送信機能の構成において、メール送信を実行するための処理フローを図８のフロー図を参照して説明する。模擬携帯画像表示９において、メール送信ボタン２５、あるいは取得ボタン２７を操作すると、メール送信の処理が開始される（ステップＳ４０）。メール送信の処理の開始により、ＣＧＩパラメータの取得がステップＳ４１にて実行される。このステップＳ４１のＣＧＩパラメータの取得により、模擬携帯画像表示９に表示されたメール送信ボタン２５、あるいは取得ボタン２７の操作に基づいて、メールサーバ５０にメール送信のためのプログラムの起動を要求する。次に、メールアドレスのチェックがステップＳ４２にて実行される。このチェックは、送信先として指定されたメールアドレスが送信拒否ＤＢ５１に登録されている場合はメールの送信を中止する。しかしながらメール送信の有無に関係なくメール送信の処理自体は完了しているので、メール送信処理が完了した旨のメッセージをＰＣ端末１１のモニタ画面上に表示する。同時に、エラーログ５３に送信拒否メールアドレスであったことによる送信エラーログを記録する（ステップＳ４３）。ステップＳ４３にて送信拒否のメールアドレスではなく、送信が許可されているメールアドレスである場合は、ステップＳ４４へ進む。このステップＳ４４では、広告登録のチェックが実行される。このチェックは、送信するメールに記載される携帯端末向けコンテンツ７のＵＲＬが広告管理ＤＢ５２に予め登録されたＵＲＬと一致した場合に広告が送信するメールに添付あるいは挿入される。予め登録されたＵＲＬは広告主が指定したＵＲＬであって、たとえば広告主が携帯端末向けコンテンツ７の提供者である場合は、携帯端末向けコンテンツ７のＵＲＬを送信するメールに提供者の広告を挿入することが行われる。あるいは、提供者の事業に関連する分野のコンテンツを含んだ別の携帯端末向けコンテンツである場合は、このＵＲＬを送信するメールに提供者の指定する広告を挿入することが行われる。広告主がたとえば自動車会社である場合は、自社のホームページのＵＲＬを送信するメールに自社の自動車の広告を挿入することができる。あるいは、自社以外の自動車に関するホームページのＵＲＬを送信するメールに、自社の自動車の広告を挿入することができる。これは、自動車に関係するホームページのＵＲＬを要求する閲覧者は、自動車に興味があり、自社の広告をする対象として有効であると判断されるからである。このようにしてステップＳ４５にてＵＲＬが広告管理ＤＢ５２に登録されているか否かが判断され、登録されていればステップＳ４６にて広告の挿入が実行される。一方、ＵＲＬが登録されていなければ広告の挿入はされずにステップＳ４７へ進みメールの送信が実行される。次に、メール送信が完了したか否かがステップＳ４８で判断される。メール送信のエラーが検出されると、エラーログ５３に記録され、同時にメール送信のエラーが発生したことをＰＣ端末１１の画面上に表示する（ステップＳ５１）。一方、メール送信が成功した場合は、ステップＳ４９にてメール送信が完了した旨の表示が実行され、ステップＳ５０にて一連の処理が終了する。
【００３７】
このように、以上説明した本発明の実施の形態によれば、携帯端末向けコンテンツの任意のメニューを画面上で選択することにより、そのメニューのリンク先にあるコンテンツを得ることができ、また、携帯端末からのアクセスにのみ提供を許可している携帯端末向けコンテンツをＰＣ端末のモニタにおいて表示可能とし、また、携帯端末向けコンテンツを携帯端末の画面に模して表示可能とし、また、特別なソフトをダウンロードすることなくＷｅｂブラウザ上で携帯端末向けコンテンツを得ることができ、表示されたコンテンツの見易さや利用のし易さの情報を提供でき、また、携帯端末向けコンテンツに用いられている絵文字などの特殊表示をＰＣ端末で正確に表示可能な携帯端末向けコンテンツの表示システムおよび方法、プログラムおよびプログラム記録媒体を提供することができる。
【００３８】
また、携帯端末、特には携帯電話の機能をエミュレートすることができるので（携帯エミュレート機能）、携帯端末からアクセスしたＷｅｂページ表示をＰＣ端末などのパソコン上で疑似体験できるサービスを提供することができる。携帯端末向けインターネットサービスで提供されるコンテンツは「絵文字」などパソコンで表示できない文字を利用したものが数多くあるが、本サービスにより多くの携帯端末向けページを携帯端末でアクセスした結果と同じようにパソコンで閲覧することが可能になる。また、パソコンの画面上にて携帯端末と同様の操作をすることが可能となり、実際に携帯端末から目的とする携帯端末向けコンテンツへアクセスした際のページイメージをつかむことが可能となる。
【図面の簡単な説明】
【００３９】
【図１】本発明に係る、実施の形態における携帯端末向けコンテンツの表示システムを説明するための概略の構成図を示す。
【図２】本発明に係る、実施の形態における携帯端末向けコンテンツの表示の概念図を示す。
【図３】本発明に係る、実施の形態における携帯端末向けコンテンツの表示の概念図を示す。
【図４】本発明に係る、実施の形態における携帯端末向けコンテンツの表示システムの構成図を示す。
【図５】本発明に係る、実施の形態における携帯端末向けコンテンツの表示システムの機能を説明するための構成図を示す。
【図６】本発明に係る、実施の形態における携帯端末向けコンテンツの表示システムのフロー図を示す。
【図７】本発明に係る、実施の形態におけるメール送信システムの概念図を示す。
【図８】本発明に係る、実施の形態におけるメール送信システムのフロー図を示す。
【符号の説明】
【００４０】
１  検索サービスサーバ
２  コンテンツ提供者
３  利用者
４  インターネット
５  Ｗｅｂサーバ
６  ＰＣ端末向けコンテンツ
７  携帯端末向けコンテンツ
８  ブラウザ
９  模擬携帯画面表示
１０  携帯端末
１１  ＰＣ端末
２０  検索結果
２１  模擬携帯端末
４０  検索サーバ
４１  携帯コンテンツ検索サーバ
４２  携帯端末エージェントＤＢ
４３  携帯端末ＨＴＭＬタグＤＢ
４４  携帯端末絵文字情報ＤＢ
４５  携帯端末描画情報ＤＢ
５０  メールサーバ
５１  送信拒否ＤＢ
５２  広告管理ＤＢ
５３  エラーログ
【図１】
2005165872.tif 000003
【図２】
2005165872.tif 000004
【図３】
2005165872.tif 000005
【図４】
2005165872.tif 000006
【図５】
2005165872.tif 000007
【図６】
2005165872.tif 000008
【図７】
2005165872.tif 000009
【図８】
2005165872.tif 000010